(57)【要約】【課題】  カートリッジケースを開けにくく、且つ、該カートリッジケースを開けたか否かを容易に確認できる磁気テープカートリッジを提供する。【解決手段】  上ハーフ１２及び下ハーフ１３のうち、一方に、テープリール１７側に突出するに加締めピン２４が設けられ、他方に、上ハーフ１２と下ハーフ１３とを組み合わせた状態で加締めピン２４が挿通可能で、挿通された加締めピン２４の先端部２４ａを変形させることで上ハーフ１２及び下ハーフ１３を加締める挿通孔２５が設けられ、且つ、上ハーフ１２及び下ハーフ１３の周縁にそれぞれ側壁１３ｂが形成され、側壁１３ｂとテープリールとの間を仕切る隔壁１３ｃが形成され、挿通孔２５が上ハーフ１２又は下ハーフ１３の側壁１３ｂと隔壁１３ｃとの間の領域に設けられている。【選択図】  図１
2005267818.tif 000002
【特許請求の範囲】
【請求項１】
上ハーフと下ハーフとからなるカートリッジケースと、
前記カートリッジケースの内部に収容されて、磁気テープを巻回したテープリールとを備えた磁気テープカートリッジであって、
前記上ハーフ及び前記下ハーフのうち、一方に、前記テープリール側に突出するに加締めピンが設けられ、他方に、前記上ハーフと前記下ハーフとを組み合わせた状態で前記加締めピンが挿通可能で、挿通された前記加締めピンの先端部を変形させることで前記上ハーフ及び前記下ハーフを加締める挿通孔が設けられ、且つ、前記上ハーフ及び前記下ハーフの周縁にそれぞれ側壁が形成され、前記側壁と前記テープリールとの間を仕切る隔壁が形成され、前記挿通孔が前記上ハーフ又は前記下ハーフの前記側壁と前記隔壁との間の領域に設けられていることを特徴とする磁気テープカートリッジ。
【請求項２】
前記加締めピンの先端部が熱溶着又は超音波溶着によって前記挿通孔の内部に溶着されていることを特徴とする請求項１に記載の磁気テープカートリッジ。
【発明の詳細な説明】
【技術分野】
【０００１】
本発明は、磁気テープを巻回した単一のテープリールがカートリッジケース内に回転可能に収容されてなる磁気テープカートリッジに関する。
【背景技術】
【０００２】
従来、コンピュータ等の外部記憶装置に用いられる記録媒体として使用されている磁気テープカートリッジとして、下記特許文献１に示すように、磁気テープを巻回した単一のテープリールがカートリッジケース内に回転可能に収容されたものが知られている。
【０００３】
この磁気テープカートリッジは、コンピュータ等のデータ保存用として用いられて重要な情報が記憶されている。このため、データが勝手に削除されたり書き換えられたりする改ざんを防止できるように、所謂、ＷＯＲＭ（Write Once Read Many）機能を有する型の磁気テープカートリッジがある。
【０００４】
このような型の磁気テープカートリッジとして、略正方形の板部の周縁辺に側板が形成された蓋状の上ハーフと下ハーフとを嵌め合わせてなるカートリッジケースが、上ハーフと下ハーフとをネジで締結することでカートリッジケースを簡単に開けられないようにしているものがある。また、改ざん防止機能を有する型の磁気テープカートリッジには、上ハーフの側板端部と下ハーフの側板端部とが嵌め合わされる箇所の一部を超音波溶着することで、もしカートリッジケースを開けられた場合には超音波溶着された箇所が破断されて視認できるようにした構成が採用されている。
【０００５】
【特許文献１】特開２０００−１６７６１号公報
【発明の開示】
【発明が解決しようとする課題】
【０００６】
しかし、上記従来の磁気テープカートリッジのように、上ハーフと下ハーフとをネジで締結するだけでは、ネジを外せばカートリッジケースを開けられるおそれがある点で改善の余地があった。
また、改ざん防止機能を有する型の磁気テープカートリッジは、もしカートリッジケースを開けられた場合、上ハーフと下ハーフとの溶着部が微小であるため、開けられた痕跡を視認しづらい点で改善の余地があった。
【０００７】
本発明は、上記事情に鑑みてなされたもので、その目的は、カートリッジケースを開けにくく、且つ、該カートリッジケースを開けたか否かを容易に確認できる磁気テープカートリッジを提供することにある。
【課題を解決するための手段】
【０００８】
本発明の上記目的は、上ハーフと下ハーフとからなるカートリッジケースと、カートリッジケースの内部に収容されて、磁気テープを巻回したテープリールとを備えた磁気テープカートリッジであって、上ハーフ及び下ハーフのうち、一方に、テープリール側に突出するに加締めピンが設けられ、他方に、上ハーフと下ハーフとを組み合わせた状態で加締めピンが挿通可能で、挿通された加締めピンの先端部を変形させることで上ハーフ及び下ハーフを加締める挿通孔が設けられ、且つ、上ハーフ及び下ハーフの周縁にそれぞれ側壁が形成され、側壁とテープリールとの間を仕切る隔壁が形成され、挿通孔が上ハーフ又は下ハーフの側壁と隔壁との間の領域に設けられていることを特徴とする磁気テープカートリッジによって達成される。
【０００９】
上記磁気テープカートリッジは、上ハーフと下ハーフとのうち、一方に設けられた加締めピンを、他方に設けられた挿通孔に挿通させて加締めることで、これら上ハーフと下ハーフを組み合わせることで構成される。上ハーフと下ハーフとを組み合わせた状態で、挿通孔に挿通された加締めピンの先端部を変形させているため、カートリッジケースを開ける場合には、変形された加締めピンの先端部が上ハーフ（又は下ハーフ）における挿通孔に係合し、加締めピンが挿通孔から抜き取られることが妨げられる。また、強引に上ハーフと下ハーフとをばらしてカートリッジケースを開けると加締めピンの先端部が他の部位と破断する。このため、使用者は、この破断された加締めピンに基づいてカートリッジケースが開けられたことを容易に確認することができる。
また、挿通孔が上ハーフ又は下ハーフの側壁と隔壁との間の領域に設けられているため、加締めピンを挿通孔に挿通するときや挿通孔に挿通された加締めピンの先端部を熱溶着や超音波溶着によって変形させるときに粉塵が発生しても、これら粉塵が隔壁と側壁との間の領域で保持され、隔壁によってテープリールに巻回された磁気テープに付着することが防止される。
【００１０】
上記磁気テープカートリッジは、加締めピンの先端部が熱溶着又は超音波溶着によって挿通孔の内部に溶着されていることが好ましい。こうすれば、組み立て後に、粉塵などがカートリッジケースの内部に挿通孔を通過して侵入することを防止することができるうえ、加締めピンと挿通孔とをより強固に加締めることができる。
【発明の効果】
【００１１】
本発明によれば、カートリッジケースを開けにくく、且つ、該カートリッジケースを開けたか否かを容易に確認できる磁気テープカートリッジを提供できる。
【発明を実施するための最良の形態】
【００１２】
以下、本発明の実施形態を図面に基づいて詳しく説明する。
図１は本発明に係る磁気テープカートリッジの一実施形態を示す分解斜視図である。図２は下ケースの平面図である。なお、この明細書において前後方向とは、ドライブ装置に対する磁気テープカートリッジの装填方向（図１において矢印で示す斜め右上方向、図２において矢印で示す上方向）に相当し、前方とは装填時におけるドライブ装置側をいう。
【００１３】
図１に示すように、磁気テープカートリッジ１０は、上ハーフ１２と下ハーフ１３とからなるカートリッジケース１１を備えている。カートリッジケース１１は、小ねじ２６により締結されて一体にされる偏平な外形を有している。カートリッジケース１１の内部には、先端にリーダピンＬを固着した磁気テープＴを巻回した単一のテープリール１７が回動可能に収容されている。
【００１４】
上ハーフ１２には、略正方形の天板１２ａと、この天板１２ａの周縁辺から立設された４つの側壁１２ｂとが形成されている。また、下ハーフ１３には、略正方形の底板１３ａと、この底板１３ａの周縁辺から立設された４つの側壁１３ｂとが形成されている。
【００１５】
カートリッジケース１１の側面の１つに、ドライブ装置に装填した際に、装置側のローディング機構によってリーダピンＬとともに磁気テープＴを引き出すための開口部１４が形成されている。
【００１６】
上ハーフ１２及び下ハーフ１３には、テープリール１７の外周に沿うように円弧状に形成された隔壁１３ｃ（上ハーフ１２については図示せず）が設けられている。上ハーフ１２と下ハーフ１３とを組み合わせた状態で、上ハーフの隔壁と下ハーフの隔壁１３ｃとが当設し、カートリッジケースの隅部において側壁と隔壁とからなる閉空間が区画される構成である。
【００１７】
下ハーフ１３は、底板１３ａにおいて４つの隅部のうち３つの隅部に配設された３カ所のボス部１３ｄを上ハーフ１２の３つのボス部１２ｄにそれぞれ当接させて、底板１３ａの底面側から小ねじ２６を締め付けることで上ハーフ１２と重ね合わせ状態で締結される。
【００１８】
下ハーフ１３の中心部にはリール駆動用開口１３ｅが開口し、カートリッジケース１１を組み立てた状態で、このリール駆動用開口１３ｅから収容されたテープリール１７が露呈する。磁気テープカートリッジ１０をドライブ装置に装填した際には、ドライブ装置側の駆動部がこのリール駆動用開口１３ｅに挿入され、駆動部によってテープリール１７を回転駆動し、磁気テープＴの送り出し又は巻取りが行われる。
【００１９】
カートリッジケース１１の後側の側壁１３ｂ近傍には、誤消去防止爪１６が摺動可能に配設されている。テープリール１７の中心部には、上ハーフ１２側に開口する有底円筒状のハブが形成され、このハブ内に、磁気テープカートリッジの不使用時においてテープリール１７の回動を規制するためのリールロック部材１８が設けられる。
【００２０】
図示しないが、テープリール１７の底面には中央部にドライブ装置側の駆動部を吸引保持させるためのマグネット式のリールプレートが取り付けられている。このリールプレートの外周部には回転駆動手段のドライブギヤと噛合するリールギヤが形成されている。なお、リールギヤとドライブギヤが噛合した状態においては上記リールロック機構１８が解除作動してテープリール１７が自由に回動可能な状態となる。
【００２１】
下ハーフ１３には、開口部１４を開閉するスライドドア１５が、図示しないばねによって側壁１３ｄに沿って閉方向に付勢されている。図２に示すように、開口部１４近傍には上記スライドドア１５が摺動する溝状のドアレール１５ａが形成されている。
【００２２】
磁気テープカートリッジ１０の不使用時に、磁気テープＴが完全にテープリール１７に巻き込まれた状態で、先端のリーダピンＬが、下ハーフ１３の底板１３ａ上面の開口部１４近傍に形成された凹状の収納部２３に係止保持される。
【００２３】
本実施形態の磁気テープカートリッジ１０において、図１に示すように、上ハーフ１２には、４つの隅部のうちボス部１２ｄが形成されていない隅部に、下ハーフ１３側へ突出するように加締めピン２４が延設されている。
【００２４】
また、図２に示すように、磁気テープカートリッジ１０の下ハーフ１３には、上ハーフ１２と組み合わせた状態で上記加締めピン２４が嵌挿される挿通孔２５が開口している。下ハーフ１３において、挿通孔２５は、隣接する２つの側壁１３ｂと、これら２つの側壁１３ｂに接続する隔壁１３とに囲まれた領域１３Ａに設けられている。
【００２５】
本実施形態の磁気テープカートリッジ１０は、既に説明した小ねじ２６による締め付けとともに、上ハーフ１２の加締めピンを下ハーフ１３の挿通孔２５に挿通させて加締めることで上ハーフ１２と下ハーフ１３と結合させる構成である。
【００２６】
次に、図３及び図４を参照して、上ハーフと下ハーフとの加締めの状態を説明する。図３は、上ハーフの加締めピンと下ハーフの挿通孔とを加締める前の状態を示している。図４は、上ハーフの加締めピンを下ハーフの挿通孔で加締めた状態を示している。
【００２７】
図３及び図４に示すように、下ハーフ１３に形成された挿通孔２５は、下ハーフ１３の上面側に開口する小径部２５ａと、該小径部２５ａと連通するとともに、その開口する径が小径部２５ａに比べて大きく形成された大径部２５ｂとからなる。小径部２５ａの開口径は、挿通される加締めピン２４の外周径と略等しく形成されている。
【００２８】
図４に示すように、挿通孔２５の小径部２５ａから挿通された加締めピン２４の先端部２４ａが、小径部２５ａから大径部２５ｂに露呈する。そして、加締めピン２４の先端部２４ａを熱溶着又は超音波溶着によって変形させることで先端部２４ａを拡径した状態にする。すると、加締めピン２４は、先端部２４ａが挿通孔２５における小径部２５ａと大径部２５ｂとの段差に引っ掛かることで、カートリッジケースの内側へ抜けないように下ハーフ１３に加締められる。なお、本実施形態では、加締めピン２４の先端部２４ａを熱溶着又は超音波溶着で変形させたがこれに限定されず、例えば、先端部２４ａを機械的な応力を加えることで変形させ加締めピン２４を加締めてもよい。しかし、加締めピン２４の先端部２４ａが熱溶着又は超音波溶着によって挿通孔２５に内に溶着させることで、組み立て後に、粉塵などがカートリッジケース１１の内部に挿通孔２５を通過して侵入することを防止することができるうえ、加締めピン２４と挿通孔２５とをより強固に加締めることができる。
【００２９】
本実施形態において、上ハーフ１２に加締めピン２４を設け、また、下ハーフ１３に挿通孔２５を設けた構成としたが、上ハーフ１２に本実施形態と同じ形状の挿通孔を設け、また、下ハーフ１３に本実施形態と同じ形状の加締めピン２４を設けた構成としてもよい。
【００３０】
したがって、本実施形態の磁気テープカートリッジ１０は、上ハーフ１２と下ハーフ１３とのうち、一方に設けられた加締めピン２４を、他方に設けられた挿通孔２５に挿通させて加締めることで、これら上ハーフ１２と下ハーフ１３を組み合わせることで構成される。上ハーフ１２と下ハーフ１３とを組み合わせた状態で、挿通孔２５に挿通された加締めピン２４の先端部２４ａを変形させているため、カートリッジケース１１を開ける場合には、変形された加締めピン２４の先端部２４ａが上ハーフ１２（又は下ハーフ１３）における挿通孔２５で係合し、加締めピン２４が挿通孔２５から抜き取られることが妨げられる。また、強引に上ハーフ１２と下ハーフ１３とをばらしてカートリッジケース１１を開ける場合には、加締めピン２４の先端部２４ａが破断するため、使用者は、この破断された加締めピン２４に基づいてカートリッジケース１１が開けられたことを容易に確認することができる。
【００３１】
また、図２に示すように、挿通孔２５が上ハーフ１２又は下ハーフ１３の側壁１３ｂと隔壁１３ｃとの間の領域に設けられているため、加締めピン２４を挿通孔２５に挿通するときや挿通孔２５に挿通された加締めピン２４の先端部２４ａを熱溶着や超音波溶着によって変形させるときに粉塵が発生しても、これら粉塵が隔壁１３ｃと側壁１３ｂとの間の領域（図２において領域１３Ａ）で保持され、隔壁１３ｃによってテープリール１７に巻回された磁気テープＴに付着することが防止される。
【００３２】
なお、本発明は、前述した実施形態に限定されるものではなく、適宜な変形、改良などが可能である。
例えば、下ハーフ１３に設けられる挿通孔２５は、上記実施形態のように領域１３Ａに設けられる構成に限定されず、図２に示すように、側壁１３ｂと隔壁１３ｃとの間の部位であれば、領域１３Ｂや領域１３Ｃに設けてもよい。
また、上記実施形態のように挿通孔２５を１つだけ設ける構成に限定されず、領域１３Ａだけでなく、領域１３Ｂや領域１３Ｃにも設けることで、挿通孔を複数設けてもよい。このとき、これら挿通孔に挿通されるように上ハーフに複数の加締めピンを設ければよい。
【図面の簡単な説明】
【００３３】
【図１】磁気テープカートリッジの一実施形態を示す分解斜視図である。
【図２】下ケースの平面図である。
【図３】上ハーフの加締めピンと下ハーフの挿通孔とを加締める前の状態を示す図である。
【図４】上ハーフの加締めピンを下ハーフの挿通孔で加締めた状態を示す図である。
【符号の説明】
【００３４】
１０    磁気テープカートリッジ
１１    カートリッジケース
１２    上ハーフ
１３    下ハーフ
１７    テープリール
２４    加締めピン
２５    挿通孔
【図１】
2005267818.tif 000003
【図２】
2005267818.tif 000004
【図３】
2005267818.tif 000005
【図４】
2005267818.tif 000006